(57)【要約】【課題】画像形成装置の紙搬送装置において、扉を開けてジャム処理をする場合、扉の開口量が制限され、かつ、扉に突起部があってジャム処理が困難な場合がある。そこで、突起部の影響を少なくしてジャム処理作業が容易に行える紙搬送装置を提供する。【解決手段】紙搬送路ａ，ｂ，ｃが露出するように開閉する扉１０１，１０２を有し、該扉１０１がその内側に開口を塞ぐ方向に張り出す突起部３２を備えた画像形成装置の紙搬送装置において、上記突起部３２を回動可能に支持し、上記扉を開いたとき、開口を塞ぐ方向に張り出した使用位置から扉の開口を拡げる退避位置に回動できるようにした。【選択図】        図２
2004217336.tif 000002
【特許請求の範囲】
【請求項１】
紙搬送路が露出するように開閉する扉を有し、該扉がその内側に開口を塞ぐ方向に張り出す突起部を備えた画像形成装置の紙搬送装置において、上記突起部を回動可能に支持し、上記扉を開いたとき、開口を塞ぐ方向に張り出した使用位置から扉の開口を拡げる退避位置に回動できるようにしたことを特徴とする紙搬送装置。
【請求項２】
上記突起部が上記紙搬送路を切り換える分岐部材であることを特徴とする請求項１記載の紙搬送装置。
【請求項３】
上記突起部が、上記退避位置に回動するように常時付勢されており、弾性部材の付勢力によって使用位置に保持され、上記扉を開いたとき該弾性部材の付勢力が突起部の付勢力より小さくなって、上記突起部が上記退避位置に回動することを特徴とする請求項１又は２記載の紙搬送装置。
【請求項４】
上記扉に一端が回動自在に係止され、他端が上記画像形成装置に回動自在に係止されたリンク部材を設け、上記弾性部材の一端を上記突起部に、他端を上記リンク部材にそれぞれ係止し、扉を閉めると上記弾性部材に付勢力が加わって上記突起部が上記使用位置に回動し、扉を開くと該弾性部材の付勢力が小さくなって、上記突起部が上記退避位置に回動することを特徴とする請求項３記載の紙搬送装置。
【請求項５】
上記突起部が退避位置に回動するように付勢する付勢力が、突起部の自重によるものであることを特徴とする請求項３又は４記載の紙搬送装置。
【請求項６】
上記弾性部材がコイルバネであり、該コイルバネの伸縮する範囲を規制する規制部材を設けたことを特徴とする請求項３から５のいずれかに記載の紙搬送装置。
【発明の詳細な説明】
【０００１】
【発明が属する技術分野】
この発明は、シート状記録紙を搬送する両面画像形成装置の紙搬送装置に関し、特に、ジャム処理時に扉を開けて処理するタイプの紙搬送装置に関する。
【０００２】
【従来の技術】
図６は、従来の両面画像形成装置の記録紙搬送経路を示す模式図である。この画像形成装置は、画像形成部１０と、給紙部２０と、排紙部３０と、反転搬送部４０と、記録紙導入部５０と、中間スタッカ部６０と、再給紙部７０とを有する。記録紙Ｐの通過する経路は、画像形成部１０の転写部１５へ記録紙Ｐを搬送する給紙経路Ａと、転写部１５から記録済みの記録紙Ｐを排出又は再給紙する搬送経路Ｂと、画像が形成された記録紙Ｐを装置外に排出する排出経路Ｃと、画像形成部１０で画像が形成された記録紙Ｐを反転後再度画像形成部１０に循環させるための循環反転給紙経路Ｄとがある。
【０００３】
画像形成部１０には、像担持体（感光体ドラム）１１が配置され、像担持体１１には帯電器１２により一様の帯電が付与され、露光手段１３により画像情報を像担持体１１の周面に照射し、静電潜像を形成する。静電潜像は現像器１４により現像され、トナー像を形成する。
【０００４】
給紙部２０には、少なくとも１つの給紙カセット２１が設けられている。給紙カセット２１から記録紙Ｐが１枚ずつ取り出され、給紙経路Ａを通過して、先端がレジストローラ２８に達する。
【０００５】
レジストローラ２８は、像担持体１１の回転に同期して駆動し、記録紙Ｐを転写部１５に送り込む。この転写部１５でトナー像は記録紙Ｐ上に転写される。記録紙Ｐは、引き続いて分離器１６により像担持体１１から分離され、搬送経路Ｂに設けられたベルト１７により定着装置１８に搬送される。
【０００６】
像担持体１１の周囲には、クリーニング装置１９が配設され、転写後の像担持体１１の表面の残留トナーを除去する。像担持体１１は更に回転し、次の画像形成のために、帯電器１２で再度帯電される。
【０００７】
定着装置１８は、内部にヒータを有する加熱ローラと、加熱ローラに強く圧接して従動する加圧ローラとから成り、前記画像形成部１０から搬送された記録紙Ｐを圧接、挟持して加熱することにより、記録紙Ｐ上に形成されたトナー像を定着する。
【０００８】
定着された記録紙Ｐは、排紙部３０に送り出される。即ち、記録紙Ｐは定着装置１８の搬送下流側に配置された定着排紙ローラ３１のニップ位置を通過し、更に搬送下流側の分岐部材３２によって記録紙Ｐの搬送経路が排出経路Ｃ側と、循環反転給紙経路Ｄ側とに切り換えられる。排出側に切り換えられた記録紙Ｐは、分岐部材３２の上方を通過し、排紙ローラ３３により排紙トレイ上に載置される。
【０００９】
分岐部材３２が反転再給紙側に切り換えられると、分岐部材３２の下方の紙搬送路ａを通過した記録紙Ｐが、反転搬送部４０の搬送ローラ４１によって紙搬送路ｂを通過し、更に搬送下流側の垂直紙搬送路ｃを経て、正逆回転可能な反転搬送ローラ４３に挟持されて搬送され、その後、湾曲紙搬送路ｄで水平方向に進路が曲げられ、画像形成装置本体の給紙カセット２１の下に形成された空間に設けられたスイッチバック紙搬送路（水平通路）ｅに進入して所定位置で一時停止する。
【００１０】
一時停止した記録紙Ｐは、逆転駆動に切り換えられた反転搬送ローラ４３にニップされて、前記垂直紙搬送路ｃを上昇して、分岐手段４２により紙搬送路ｆを通過させられ、記録紙導入部５０により中間スタッカ部６０に送り込まれる（排出紙搬送路ｇ）。
【００１１】
中間スタッカ部６０に収容された記録紙Ｐは印刷された面が下側になっている。この状態で、裏面のコピーの指示があると、記録紙Ｐは紙搬送路ｈを通って給紙経路Ａに入り、レジストローラ２８に達する。像担持体１１には裏面のトナー画像が形成され、像担持体１１のタイミングに合わせてレジストローラ２８が記録紙Ｐを送り込む。記録紙Ｐは転写部１５、分離器１６を通過し、搬送経路Ｂを経て定着装置１８に入り、裏面のトナー画像が定着され、排紙ローラ３３から外部に排出されることになる。
【００１２】
なお、紙搬送路ｉは反転排紙通路で、通常の排紙方向と表裏を反転して排紙する場合に使用する紙搬送路である。定着装置１８から定着排紙ローラ３１を通過してきた記録紙Ｐは、反転排紙の指示があると、分岐部材３２で紙搬送路ａに入り、紙搬送路ｂ、紙搬送路ｃに進む。記録紙Ｐの後端が紙搬送路ａと紙搬送路ｉの分岐部を越えると一旦停止し、次に逆転して紙搬送路ｉに入り、表裏が反転して排紙される。
【００１３】
上記両面画像形成装置における反転搬送部等の紙搬送路を有する紙搬送装置は、扉により開閉可能に閉止されている。この扉には、反転搬送部の紙搬送路を形成する一方のガイド板や、搬送ローラ対の一方の従動ローラや、分岐手段の一方の分岐ガイド部材等が取り付けられていて、扉を開放したとき、反転搬送部の搬送路は開放状態になり、搬送路内に発生したジャムによる記録紙詰まりを除去可能にしている。
【００１４】
上述した両面画像形成装置では、分岐手段の記録紙搬送出口から搬出された記録紙は、記録紙導入部の入口部に正確に搬入されないと、記録紙搬送不良（ジャム等）を発生する。分岐手段を画像形成装置本体側に固定すると、記録紙搬送不良発生時に、該分岐手段内に滞留した記録紙を取り出すのが困難である。このため、分岐手段を記録紙搬送路を境にして、下方のガイド面を有する分岐部材と、上方のガイド面を有する分岐部材とに分割し、下方の分岐部材を画像形成装置本体側に固定配置し、上方の分岐部材を前記の扉に取り付けるようにした。
【００１５】
しかし、このような分割型の分岐手段においては、揺動可能な扉に取り付けられた上方の分岐部材が、扉を閉止したとき、下方の分岐部材に対向する所定位置に正確に位置決めして設置することが困難である。また、上方の分岐部材を扉閉止時に正確に位置決めするためには、扉の揺動精度や分岐部材の取り付け精度等を厳しい部品公差により管理したり、組立調整に熟練と時間を要したりする。
【００１６】
そこで、特許文献１（特開平１０−１４８９７３号）では、分岐手段のガイド面を形成する可動分岐部材を扉に回動可能に取り付け、この可動分岐部材に位置決め用突起部を記録紙通過部の外側に設けるとともに、画像形成装置本体側の前記反転搬送部の記録紙通過部の外側に位置決め用案内部を設け、扉を閉止したとき、位置決め用突起部が位置決め用案内部に嵌合して、可動分岐手段が画像形成装置内の所定位置に設置されるようにした構成を提案している。
【００１７】
上記の特許文献１に記載の画像形成装置では、記録紙詰まりが生じると、扉を開けて詰まっている記録紙を取り除く。特許文献２（特開平５−２８１８７３号）に記載のように、通常は手前の大きな扉を開けてジャム処理をし、奥部で詰まった場合は、さらに奥に設けた扉を開いてジャム処理をするものもあるが、開くのに必要なスペースを小さくする必要がある場合には、特許文献１のように、上下２段に分かれたものが使用されている。
【００１８】
【特許文献１】
特開平１０−１４８９７３号  図４、図５
【特許文献２】
特開平５−２８１８７３号  図２、要約書
【００１９】
【発明が解決しようとする課題】
しかし、２段に分けたとしても、扉を開けたとき、上記の分岐手段などの突起部が、開口を塞ぐ方向に張り出しており、作業者の手を入れにくい。特に、フィニッシャーを取り付けると、扉の開く量が制限されるので、紙詰まり処理が極度に難しくなるという問題があった。
【００２０】
本発明は、この問題を解決するためのもので、開口量が制限される場合でも、突起部の影響を少なくしてジャム処理作業が容易に行える紙搬送装置を提供することを目的としている。
【００２１】
【課題を解決するための手段】
上記の目的を達成するために本発明は、紙搬送路が露出するように開閉する扉を有し、該扉がその内側に開口を塞ぐ方向に張り出す突起部を備えた画像形成装置の紙搬送装置において、上記突起部を回動可能に支持し、上記扉を開いたとき、開口を塞ぐ方向に張り出した使用位置から扉の開口を拡げる退避位置に回動できるようにしたことを特徴としている。
【００２２】
上記突起部が上記紙搬送路の紙搬送路を切り換える分岐部材である構成としたり、上記突起部が、上記退避位置に回動するように常時付勢されており、弾性部材の付勢力によって使用位置に保持され、上記扉を開いたとき該弾性部材の付勢力が突起部の付勢力より小さくなって、上記突起部が上記退避位置に回動するようにしたり、上記扉に一端が回動自在に係止され、他端が上記画像形成装置に回動自在に係止されたリンク部材を設け、上記弾性部材の一端を上記突起部に、他端を上記リンク部材にそれぞれ係止し、扉を閉めると上記弾性部材に付勢力が加わって上記突起部が上記使用位置に回動し、扉を開くと該弾性部材の付勢力が小さくなって、上記突起部が上記退避位置に回動するようにしたり、上記突起部が退避位置に回動するように付勢する付勢力が、突起部の自重によるものとしたり、上記弾性部材がコイルバネであり、該コイルバネの伸縮する範囲を規制する規制部材を設けた構成とすることができる。
【００２３】
【作用】
ジャムが発生した場合、扉を開いて紙搬送路を露出させる。そして、詰まっている紙を除去するのであるが、このとき、扉を大きく開くことができず、しかも、扉の内側に分岐部材などの突起部がある場合には、突起部が邪魔になって、手を入れにくい。そこで、突起部を退避位置に移動して開口を拡げ、ジャムを取り除く。
【００２４】
扉を開いたとき突起部が自動的に退避位置に移動できるように付勢し、扉を閉じたときには自動的に使用位置に復帰するように弾性部材で付勢するようにすると、作業が非常にやりやすくなる。突起部を退避位置に付勢する付勢力を、突起部の自重とすると、退避する際の力が過剰にならず、突起部と扉との間に紙搬送路がある場合でも、紙を破らないようにすることが可能となる。
【００２５】
弾性部材にコイルスプリングを使用し、このコイルスプリングの伸縮可能な範囲を規制部材で規制すると、弾性部材の制御が容易になり、弾性部材を安価なコイルスプリングとすることができ、コストダウンを図ることができる。
【００２６】
【発明の実施の形態】
以下に本発明の実施例を図面によって説明する。
図１は、本発明の紙搬送装置の構成を示す図で、図６の従来例に示す排紙部３０と反転搬送部４０の部分に対応する正面断面図である。図２は扉を開けた状態を示す。
【００２７】
画像形成装置の紙搬送装置には扉１００があり、これにより本体左側面部の開口部が開閉可能になっている。扉は、上扉１０１と下扉１０２の屈曲式２段構成になっている。下扉１０２は、画像形成装置本体底部に固定された軸１０３に軸支され、揺動回転可能になっている。上扉１０１は、下扉１０２上部に固定された軸１０４に軸支され、同じく揺動回転可能になっている。画像形成装置本体底部に固定された軸１０５に一端を回転可能に軸支され、他端を上扉１０１設けられた軸１０６に回転可能に軸支される揺動自在なリンク部材１０７により、下扉１０２を開放状態にしたとき、リンク部材１０７は上扉１０１をほぼ垂直状態に支持することができる。１１０は、扉の開閉をするレバーで、先端にフック１１０ａが形成され、扉１００が閉じている場合、フック１１０ａが図１に示すように本体側に係止して閉止状態を維持できる。上下の扉１００はこのように開いたとき「く」の字を描くようになっているので、扉１００を開くのに必要なスペースを減らすことができる。扉１００が図２に示すように開くと、紙搬送路ａ，ｂ，ｃが露出するようになっていて、ジャム処理が可能となる。
【００２８】
上扉１０１の上方には、下側の排紙ローラ３３と、突起部としての分岐部材３２とが設けられている。この分岐部材３２は、定着排紙ローラ３１から送られてきた記録紙Ｐを、排出経路Ｃ側と循環反転給紙経路Ｄ側とに分けるもので、固定分岐部材３２ａと可動分岐部材３２ｂとから成る。固定分岐部材３２ａには、排出経路Ｃ側と循環反転給紙経路Ｄ側と、反転排紙経路ｉの各搬送経路に合わせたガイド面が形成されている。可動分岐部材３２ｂは、図示しないソレノイド等で駆動され、図１では循環反転給紙経路Ｄ側が選択された状態を示す。
【００２９】
この分岐部材３２は、図２に示す扉１００を開いた状態のとき、従来は、点線に示す位置にあって、扉１００の開口を塞ぐ方向に張り出していた。そのため、開口幅Ｌ１が小さくなり、ジャム処理が困難になっていた。
【００３０】
本発明の実施例では、図１の位置（又は図２の点線で示す位置）を分岐部材３２の使用位置として、扉１００を開けたときには、図２の実線で示す退避位置に移動できるようにしたことに特徴がある。この場合、使用状態とは、可動分岐部材３２ｂが排出経路Ｃと循環反転給紙経路Ｄのいずれを選択している場合も含まれる。
【００３１】
すなわち、本発明では、分岐部材３２は、上扉１０１に軸３５で揺動回転可能に軸支されている。そして、可動分岐部材３２ｂがいずれの経路を選択しているかに関係なく、分岐部材３２は自然状態では図１又は図２において時計方向に回転して図２の実線で示す状態になるように自重により付勢されている。逆方向の回転は、図示しないストッパで制限されている。
【００３２】
そして、コイルスプリングからなる弾性部材１２０を設け、この一端にワイヤ１２１をつなぎ、このワイヤ１２１をローラ１２２でほぼ直角に曲げて可動分岐部材３２ｂの回動軸３２ｃに掛止している。弾性部材１２０の他端は、リンク部材１０７の先端のピン１０７ａに直接掛止している。
【００３３】
扉１００が図１に示す閉じた状態から、図２に示す開いた状態に移行すると、リンク部材１０７も移動する。扉１００が開いた状態と閉じた状態とを比較すると、扉１００が開くと、リンク部材１０７の先端のピン１０７ａがローラ１２２に近づき、扉１００が閉じると遠のく。これによって、扉１００が開くときワイヤ１２１が弛んで分岐部材３２は退避状態に移行し、扉１００が閉じるときワイヤ１２１が引っ張られて分岐部材３２は使用状態に戻ることができる。
【００３４】
図３は扉１００が半開きの状態を示す図である。図４は、弾性部材１２０を用いない実施例の図で、扉１００が図３と同じく半開きの状態を示す図である。図３とは異なり、弾性部材１２０を取り外してワイヤ１２１で分岐部材３２とリンク部材１０７の先端のピン１０７ａとを直接接続したものである。
【００３５】
図４のように弾性部材１２０が無くても、分岐部材３２は扉１００を閉じれば、ワイヤ１２１が引っ張られて使用状態に戻り、扉１００を開けばワイヤ１２１が弛んで自重により軸３５を中心にして時計方向に回転し、退避状態に移行することができる。しかし、弾性部材１２０がないので、引張力が不足し、扉１００を閉じるとき、図４の矢印に示す分岐部材３２の先端と後端の両方が、本体側の排紙ローラ３３や紙搬送路ａのガイドにぶつかってしまう可能性がある。
【００３６】
図３の実施例では、弾性部材１２０を設けたので、扉１００を閉じる際に、弾性部材１２０による引張力が加わり、ワイヤ１２１のテンションが増加して、分岐部材３２は、その上面がほぼ水平面となるまで回動し、本体側のガイド等にぶつかることはなくなる。
【００３７】
図５は、弾性部材１２０の周辺の詳細を示す図である。扉１００は、（ａ）では、閉じた状態、（ｂ）では、半開きの状態、（ｃ）では、開いた状態を示している。この図により、弾性部材１２０周辺の構成を説明するとともに、さらに詳細に扉１００の開閉動作を説明する。
【００３８】
弾性部材１２０としてのコイルスプリングは、上端に上フック１２０ａ、下端に下フック１２０ｂ、中間に長円状の環１２０ｃを有する。この弾性部材１２０は、上扉１０１に設けられた規制部材１２３に掛止している。すなわち、上フック１２０ａは、規制部材１２３の上部突起１２３ａにある掛止溝に掛止し、下フック１２０ｂはリンク部材１０７の先端のピン１０７ａに掛止している。長円状の環１２０ｃには、規制部材１２３の下部突起１２３ｂが挿通されている。規制部材１２３自身は、上扉１０１に支持されているが、弾性部材１２０の伸縮する方向に若干量だけスライド可能になっている。また、ワイヤ１２１の端部は、上部突起１２３ａに掛止されている。長円状の環１２０ｃに下部突起１２３ｂを挿通すると、下部突起１２３ｂが環１２０ｃ内を移動できる範囲内で弾性部材１２０は伸縮ができることになり、弾性部材１２０の最大長さと最小長さとが規制されることになる。このように弾性部材１２０の長さを規制することで、弾性部材１２０が有効に作用する荷重条件を調整することが可能となる。
【００３９】
図１の扉１００が閉じた状態では、弾性部材１２０は図５の（ａ）に示すように、ほぼ最大長さまで伸びており、弾性部材１２０には大きな引張力が発生し、規制部材１２３も図５の下側（ピン１０７ａ側）に引き寄せられている。ワイヤ１２１には引張力が加わり、分岐部材３２は使用位置に保持されることになる。
【００４０】
図２の扉１００が開いた状態では、弾性部材１２０は図５の（ｃ）に示すように、最小長さになっている。この状態では引張力は全く発生していない。規制部材１２３は図５の上方に移動し、ワイヤ１２１は弛み、分岐部材３２は自重により軸３５を中心に回動し、図２に示す退避位置に移動する。
【００４１】
図５の（ｂ）に示す半開きの状態は、弾性部材１２０の縮小が終了する直前の状態を示している。すなわち、扉１００をこれ以上閉じれば、弾性部材１２０が伸び始めて引張力が増大し、反対に扉１００をこれ以上開けば、引張力が消滅してワイヤ１２１が弛み、規制部材１２３が図５の上方に移動し始める。
【００４２】
図１の閉じた状態から、扉１００を開くと、図３の半開き状態を経て図２の開いた状態になる。この間、リンク部材１０７は図１から図２の位置に移動し、先端のピン１０７ａとローラ１２２との距離は短くなる。弾性部材１２０の長さは図５（ａ）の最大長さから、図５（ｂ）の半開き状態へと移行する。図５（ｂ）で弾性部材１２０の長さは殆ど最小の長さになるが、僅かな引張力が残っており、規制部材１２３は図５の下方に引っ張られた状態で、ワイヤ１２１は弛まない。半開き状態からさらに図５（ｃ）の開いた状態に移行すると、弾性部材１２０の長さは最小になり、引張力は消滅する。そして、規制部材１２３は図５の上方に移動し、ワイヤ１２１に弛みが生じ、分岐部材３２のアンバランスによる回転力によって分岐部材３２は、図２の実線に示すように、退避位置に退避する。これによって、扉１００が開いた時の開口をＬ１からＬ２へと大きくし、ジャム処理を容易にすることができる。
【００４３】
扉１００を図２の開いた状態から閉じると、リンク部材１０７が移動して弾性部材１２０の長円状の環１２０ｃの下端が下部突起１２３ｂの下端から離れ始め、張力が発生して規制部材１２３を下方に引きつけ、ワイヤ１２１が張り、図３の半開き状態になる。これによって、分岐部材３２が引っ張られて図１に示す使用位置に移動する。したがって、分岐部材３２を手などで操作することなく、扉１００を開閉すると、自動的に使用位置と退避位置とに移動させることができる。ことになる。
【００４４】
このとき分岐部材３２が定着排紙ローラ３１などの画像形成装置本体側の正確な位置に戻る必要がある。これについては、画像形成装置本体側に図示しないガイドを設けてあり、分岐部材３２が正確な位置にセットされるようにしている。
【００４５】
なお、分岐部材３２が退避位置に向けて自重により付勢されるのに代えて、バネで回転付勢する方法もある。しかし、その場合、弾性力が大きくなりすぎ、退避位置に移動する際に、紙搬送路ｉ内にある記録紙Ｐを分岐部材３２の回転によって破ってしまう可能性がある。これに対して、自重による付勢であれば、付勢力を小さくすることができ、分岐部材３２が退避位置に回転しても、紙搬送路ｉにある記録紙Ｐを破損する心配がなくなる。
【００４６】
以上の実施例では、扉１００を開くと突起部が自動的に退避するようになっているが、本発明はこれに限定されない。たとえば、手動によって使用位置と退避位置とに切り換えるようにしてもよい。また、突起部を退避させる機構も、扉１００が所定の角度開いたらソレノイドなどで駆動して退避させる構成とすることもできる。
【００４７】
【発明の効果】
以上に説明したように本発明は、紙搬送路が露出するように開閉する扉を有し、該扉がその内側に開口を塞ぐ方向に張り出す突起部を備えた画像形成装置の紙搬送装置において、上記突起部を回動可能に支持し、上記扉を開いたとき、開口を塞ぐ方向に張り出した使用位置から扉の開口を拡げる退避位置に回動できるようにしたので、扉を開いたとき、開口を大きくすることができ、ジャム処理が容易にできるようになった。
【００４８】
上記突起部が、上記退避位置に回動するように常時付勢されており、弾性部材の付勢力によって使用位置に保持され、上記扉を開いたとき該弾性部材の付勢力が突起部の付勢力より小さくなって、上記突起部が上記退避位置に回動するようにすれば、扉の開閉に伴って自動的に突起部を使用位置と退避位置とに切り換えることができる。
【００４９】
弾性部材にコイルスプリングを使用し、このコイルスプリングの伸縮可能な範囲を規制部材で規制すると、弾性部材の制御が容易になり、弾性部材を安価なコイルスプリングとすることができ、コストダウンを図ることができる。
【図面の簡単な説明】
【図１】本発明の紙搬送装置の構成を示す正面断面図である。
【図２】図１の扉を開けた状態を示す図である。
【図３】扉を半開きにした状態を示す図である。
【図４】弾性部材を用いない実施例の図で、扉を半開きにした状態を示す図である。
【図５】弾性部材の周辺の詳細を示す図で、扉が（ａ）は閉じた状態、（ｂ）は半開き状態、（ｃ）は開いた状態を示す。
【図６】従来の両面画像形成装置の記録紙搬送経路を示す模式図である。
【符号の説明】
３２      分岐部材（突起部）
１００    扉
１０７    リンク部材
１２０    弾性部材（コイルバネ）
１２３    規制部材
ａ，ｂ，ｃ，ｄ，ｉ    紙搬送路
【図１】
2004217336.tif 000003
【図２】
2004217336.tif 000004
【図３】
2004217336.tif 000005
【図４】
2004217336.tif 000006
【図５】
2004217336.tif 000007
【図６】
2004217336.tif 000008